(57)【要約】【課    題】もっと手軽な手法により、使用しているパソコンの使用可，使用不可の状況を創成することができるセキュリティシステムを提供すること。【解決手段】入力装置１，記憶装置２，処理装置３，出力装置４を有するコンピュータの記憶装置２に、そのコンピュータに接続される携帯電話機ＫＴに付与された固有数値を示すデータを記憶させておき、前記電話機ＫＴが前記コンピュータに接続されたとき、その固有数値データが前記記憶装置２の固有数値データと論理積条件で満たされるか否かを前記処理装置の演算装置３ｂで判別させ、前記条件が満たされるときには前記処理装置３の制御装置３ａが前記入力装置４又は出力装置を動作状態に保持させ、前記電話機ＫＴの接続が切れて前記論理積条件が満たされないとき、少なくとも前記入力装置１又は出力装置４を不作動状態に切換えること。【選択図】    図２
2004164093.tif 000002
【特許請求の範囲】
【請求項１】
入力装置，記憶装置，処理装置，出力装置を有するコンピュータの記憶装置に、そのコンピュータに接続される携帯電話機に付与された固有数値を示すデータを記憶させておき、前記電話機が前記コンピュータに接続されたとき、その固有数値データが前記記憶装置の固有数値データと論理積条件で満たされるか否かを前記処理装置の演算装置で判別させ、前記条件が満たされるときには前記処理装置の制御装置が前記入力装置又は出力装置を動作状態に保持させ、前記電話機の接続が切れて前記論理積条件が満たされないとき、少なくとも前記入力装置又は出力装置を不作動状態に切換えることを特徴とするコンピュータのセキュリティシステム。
【請求項２】
制御装置は、携帯電話機が接続されるとその電話機からその固有数値データを演算装置に取込ませ、予め記憶装置に設定されている同一の固有数値データと前記取込みデータが適宜インターバルで論理積条件を満足しているか否かを演算装置で演算処理させ、前記条件を満足しているときは動作状態の保持指令を出力すると共に、前記電話機の接続が切れて前記条件が満たされないときは不動作状態への切換指令を出力するように形成した請求項１のコンピュータのセキュリティシステム。
【発明の詳細な説明】
【０００１】
【発明の属する技術分野】
本発明はオフィス等で使用されるパーソナルコンピュータ等のコンピュータ（以下、単にパソコンという）のセキュリティシステムに関する。
【０００２】
【従来の技術】
昨今のオフィス等においては一人に少なくとも一台のパソコンを使用することが当り前の状況になり、パソコン抜きでオフィス等におけるあらゆる業務の逐行は考えられないほどになっている。
【０００３】
オフィス等において各人が夫々に一台以上のパソコンを使用する環境では、例えば昼食時などの外出時に自分のパソコンからその使用者（所有者）が離れてしまうと、当該パソコンの使用者ではない第三者であっても、例えばそのパソコン画面に表示されている内容を閲覧可能であることは勿論、記憶装置に格納されているファイル等のデータを勝手に引出して閲覧したり、書込みをしたり、或は、プリントアウトすることなどが可能となる。
【０００４】
従来、上記のような事態を防ぐには、パソコンからその使用者が離れるとき、パソコンを停止して外出するなどしているが、パソコンから離れる度に当該パソコンを停止したり、戻る度に立上げることは煩しいのみならず、思わぬ動作トラブルの原因にもなり易い。
【０００５】
また、単にパソコンを停止しているだけでは、第三者が勝手にそのパソコンを立ち上げることができるので、勝手にファイルの内容を読まれたり、コピーされてしまうおそれがり、しかも、その根跡は残らないため、パソコン内に格納されている様々な情報の機密保持の面でも至って心もとないのが現状である。
【０００６】
上記のような点に鑑み、所定手順を踏む、例えばパスワードを入力しなければ、パソコンの立上げはできてもそれ以上の操作を出来ないようにしたパソコン用の専用ソフトも提供されているが、このソフトでは、本人であってもパソコン立上げの度、パスワードの入力操作を不可欠とするため、余り合理的とはいえない面がある。また、パソコンの起動に指紋や専用キーを利用するようにしたものもあるが、指紋を利用する場合には、パソコンのハード構成に指紋読取機構などの付属機能を不可欠とするため、それがパソコン価格を押上げ、一方、専用キーの場合には紛失のおそれが多いため、キーを失った場合の対応に問題が残っているなど、実用上の難点が多い。
【０００７】
【発明が解決しようとする課題】
本発明は以上のようなパソコンのセキュリティ状況に鑑み、もっと手軽な手法により、使用しているパソコンの使用可，使用不可の状況を創成することができるセキュリティシステムを提供することを、その課題とする。
【０００８】
【課題を解決するための手段】
上記課題を解決することを目的としてなされた本発明パソコンセキュリティ方式の構成は、入力装置，記憶装置，処理装置，出力装置を有するコンピュータの記憶装置に、そのコンピュータに接続される携帯電話機に付与された固有数値を示すデータを記憶させておき、前記電話機が前記コンピュータに接続されたとき、その固有数値データが前記記憶装置の固有数値データと論理積条件で満たされるか否かを前記処理装置の演算装置で判別させ、前記条件が満たされるときには前記処理装置の制御装置が前記入力装置又は出力装置を動作状態に保持させ、前記電話機の接続が切れて前記論理積条件が満たされないとき、少なくとも前記入力装置又は出力装置を不作動状態に切換えることを特徴とするものである。
【０００９】
上記の制御装置は、携帯電話機が接続されるとその電話機からその固有数値データを演算装置に取込ませ、予め記憶装置に設定されている同一の固有数値データと前記取込みデータが適宜インターバルで論理積条件を満足しているか否かを演算装置で演算処理させ、前記条件を満足しているときは動作状態の保持指令を出力すると共に、前記電話機の接続が切れて前記条件が満たされないときは不動作状態への切換指令を出力するように形成されている。
【００１０】
【発明の実施の形態】
次に本発明の実施の形態例について、図を参照して説明する。図１は本発明セキュリティシステムを導入したパソコンの構成例を模式的に示したブロック図、図２は本発明セキュリティシステムの要部のブロック図、図３は本発明セキュリティシステムの動作例のフロー図である。
【００１１】
図１はパソコンを含むコンピュータの基本構成を模式的に示したもので、１はキーボードやディスクリーダやプレーヤ等により外部からデータやコマンドを入力するための入力装置、２は、ハードディスク等の主記憶装置２ａとメモリ等の補助記憶装置２ｂを具備した記憶装置で、入力したデータやプログラムが格納される。また、記憶装置２は、命令語を取出したり、演算するデータを取出し、演算結果を記憶する機能をもっている。３はＣＰＵなどを主体に形成された制御装置３ａと演算装置３ｂを主体に構成される処理装置で、制御装置３ａはコンピュータ全体を制御し、演算装置３ｂは必要な演算を実行する。４は液晶画面，プリンタ，スピーカなどにより形成される出力装置である。図１において、実線はデータの流れを示し、波線は制御信号の流れを表わしている。
【００１２】
上記のコンピュータにおいて、本発明ではＣＯＭポートやＵＳＢポートなどの接続口Ｐに、携帯電話機ＫＴにおける外部接続端子Ｋａに接続された接続ケーブルＣａを接続することにより、その電話機に固有の数値データとして付与されている固有数値、或は、その電話機の電話番号を示す数値（以下、前記数値を「固有データ」という）を、記憶装置２に取込ませる。前記電話機の固有データは無線により記憶装置に取込ませてもよい。
【００１３】
一方、制御装置３ａは、先に記憶装置２に取込まれた固有データと、いま実際に前記携帯電話機ＫＴを接続ケーブルＣａによりこのコンピュータに接続したとき、当該コンピュータにいま取込まれる固有データとを、演算装置３ｂにおいて、任意に設定できるインターバル、例えば５秒のサンプリング周期で、常時、両方の固有データがあるか否かを演算させ、双方の固有データが揃っていれば、少なくとも入力装置１、又は／及び、出力装置４を動作可能状態に保持させる制御信号を、当該入力装置１と出力装置４に供給する。なお、サンプリング周期は、勿論５秒以外であってもよい。
【００１４】
他方、携帯電話機ＫＴとコンピュータの上記接続が解かれる、即ち、接続ケーブルＣａから前記電話機ＫＴが抜去され、そのままであったり、異なる電話機が接続されると、演算装置３ｂでは固有データの論理積条件が満たされないことになる。この場合、制御装置３ａは前記入力装置１と出力装置４に、その動作可能状態を解く制御信号を出力して、当該入力装置１と出力装置４を、動作しない状態に切換える。
【００１５】
上記動作は、図３のフローチャート図に示す順序で進む。ステップＳ１で固有データ（携帯電話機ＫＴに固有の番号を示す数値）が当該電話機ＫＴからパソコンに取込まれ、記憶装置２に記憶される。ステップＳ２では、前記電話機ＫＴがケーブルＣａに接続されていて、そこから固有データがパソコンに供給されるか否かが判別され、接続されず固有データがパソコンに入力されないと、ステップＳ３のパソコン終了を含む「パソコンロック」モードになる。
【００１６】
前記電話機ＫＴがケーブルＣａを介してパソコンに接続されていると、その電話機ＫＴから固有コードがパソコンに供給されるから次のステップＳ４に進む。ステップＳ４では、先にパソコン内に設定された前記電話機ＫＴの固有データが、ケーブルＣａを通して入力されて来るその電話機ＫＴの固有データと一致するか否かが判別され、不一致であれば直ちにステップＳ３のパソコン終了を含む「パソコンロック」モードに進むが、一致している場合には、パソコンの立上げ状態を維持するステップＳ５に進んでからステップＳ４に戻り、これを設定したサンプリング周期で繰返す。
【００１７】
以上の結果、上記コンピュータは携帯電話機ＫＴがケーブルＣａ等でそのコンピュータ接続されている限り、通常のコンピュータと同様に自由にそのコンピュータを操作し、駆動させることができるが、携帯電話機ＫＴがコンピュータから切り離されると、少なくとも入力装置１及び／又は出力装置４の動作可能状態が作動不能の状態に切換えられるから、前記携帯電話機ＫＴを保持している本人以外の第三者がこのコンピュータを起動させたり、操作することはできなくなる。仮に、別の携帯電話機ＫＴを空いている前記コードＣａに接続しても、コンピュータ内に設定されている固有データと電話機ＫＴからの固有データが一致しないので、コンピュータが作動可能になることはない。
【００１８】
つまり、本発明セキュリティシステムにおける携帯電話機ＫＴは、それが持っている固有データを、パスワードやキーワードなどをキーとするコンピュータのロック手段と同様のロック手段を構成することになるのである。
【００１９】
従って、昼食時等の外出時や出張時など、本人が自分のコンピュータから離れるとき、当該本人の携帯電話機ＫＴを、当該コンピュータとの接続を解くだけで、そのコンピュータを動作不可能状態に設定できるので、そのコンピュータに格納されている様々なデータを安全裡に保守することが可能になる。
【００２０】
【発明の効果】
本発明は以上の通りであるから、至って簡便な手法で自分のコンピュータのセキュリティを強固に保持することが可能になり、有用性はきわめて高い。
【図面の簡単な説明】
【図１】本発明セキュリティシステムを導入したパソコンの構成例を模式的に示したブロック図
【図２】本発明セキュリティシステムの要部のブロック図
【図３】本発明セキュリティシステムの動作例のフロー図
【符号の説明】
１    入力装置
２    記憶装置
２ａ    主記憶装置
２ｂ    補助記憶装置
３    処理装置
３ａ    制御装置
３ｂ    演算装置
４    出力装置
ＫＴ    携帯電話機
Ｃａ    接続ケーブル
【図１】
2004164093.tif 000003
【図２】
2004164093.tif 000004
【図３】
2004164093.tif 000005